(57)【要約】【課題】払拭部材を立てた状態で安定に保持して、払拭部材の水切れをよくし迅速に乾燥させることのできる洗浄具が望まれている。【解決手段】洗浄具１は、一端側に払拭部材１５を有する器具本体２と、器具本体２の他端側にヒンジ部３を介して揺動自在に連結された平面状の柄部４とを備えて成り、柄部４は、該柄部４の面心Ｃ３が器具本体３と略直角になる位置と、当該面心Ｃ３が器具本体２に対し略平行になる位置との間を揺動可能とされ、柄部４の面心Ｃ３が器具本体２に対し略平行となるように柄部４が配置され、且つ、払拭部材１５が上向きに配置された状態で、柄部４の下面４Ｅを接地させたときに、洗浄具１全体が座位姿勢に保たれる構成にされている。また、洗浄具１全体が座位姿勢にある状態において、上向きとなる係止突部７が柄部４の先端に形成され、且つ、係止突部７と払拭部材１５の束毛６との間に別の洗浄器具Ｖを収容するスペースＳが形成される。【選択図】図７
2011045420.tif 000002
【特許請求の範囲】
【請求項１】
一端側に払拭部材を有する器具本体と、器具本体の他端側にヒンジ部を介して揺動自在に連結された平面状の柄部とを備えて成り、柄部は、該柄部の面心が器具本体と略直角になる位置と、当該面心が器具本体に対し略平行になる位置との間を揺動可能とされ、柄部の面心が器具本体に対し略平行となるように柄部が配置され、且つ、払拭部材が上向きに配置された状態で、柄部の下面を接地させたときに、洗浄具全体が座位姿勢に保たれる構成にされていることを特徴とする洗浄具。
【請求項２】
洗浄具全体が座位姿勢にある状態において、上向きとなる係止突部が柄部の先端に形成され、且つ、係止突部と払拭部材との間に別の洗浄器具を収容するスペースが形成される請求項１に記載の洗浄具。
【発明の詳細な説明】
【技術分野】
【０００１】
本発明は、例えば食器、台所周り、浴槽回り、布靴などの擦り洗いに使用される洗浄具に関するものである。
【背景技術】
【０００２】
従来、この種の洗浄具としては、ブラシ部などに代表される払拭部材を一端側に持つ器具本体と、この器具本体の他端側に連結された柄部とを直線状一体に備えたものが知られている。
一方で、払拭部材に連結された柄部がその途中に設けられたヒンジ部やスリットにより屈曲可能に構成された洗浄具が、特許文献１〜４に開示されている。
また、柄部は途中で屈曲しないが、払拭部材を上向きにして柄部の尻をテーブル上などに置くと全体が自立する洗浄具が、特許文献５〜７に開示されている。
【先行技術文献】
【特許文献】
【０００３】
【特許文献１】特開２００７−２２２５６９号
【特許文献２】特開２００１−１２０４６８号
【特許文献３】特開平８−２３９８８６号
【特許文献４】登録実用第３１３７１２８号
【特許文献５】特開２０００−２４５６７９号
【特許文献６】特開平１１−５６４７５号
【特許文献７】登録実用第３０３０５１４号
【発明の概要】
【発明が解決しようとする課題】
【０００４】
ところで、直線状一体に構成された汎用の洗浄具は自立させることができないので、テーブル上などに寝かせて保管しなければならない。そのために、擦り洗い使用後の水分が払拭部材の束毛などに長時間残存して乾きにくく、カビや臭気を発生させて不衛生化の一因となっていた。
また、上記した特許文献１〜４のように柄部を途中で屈曲できるものであっても、払拭部材を上にして自立させることはできないので、同様に水分が払拭部材に長時間残存して不具合をもたらすこととなる。
そして、特許文献５〜７のように柄部が屈曲することなく自立するものは、当然に高さ寸法が大きくなるので、自立状態が不安定になりやすく倒れるおそれが高くなる。また、払拭部材に含まれていた水分は流れ落ちて柄部を汚染する。
【０００５】
本発明は、上記した従来の問題点に鑑みてなされたものであって、払拭部材を立てた状態で安定に保持して、払拭部材の水切れをよくし迅速に乾燥させることのできる洗浄具の提供を目的とする。
【課題を解決するための手段】
【０００６】
上記目的を達成するために、本発明に係る洗浄具は、一端側に払拭部材を有する器具本体と、器具本体の他端側にヒンジ部を介して揺動自在に連結された平面状の柄部とを備えて成り、柄部は、該柄部の面心が器具本体と略直角になる位置と、当該面心が器具本体に対し略平行になる位置との間を揺動可能とされ、柄部の面心が器具本体に対し略平行となるように柄部が配置され、且つ、払拭部材が上向きに配置された状態で、柄部の下面を接地させたときに、洗浄具全体が座位姿勢に保たれる構成にされているものである。
【０００７】
また、前記構成において、洗浄具全体が座位姿勢にある状態において、上向きとなる係止突部が柄部の先端に形成され、且つ、係止突部と払拭部材との間に別の洗浄器具を収容するスペースが形成されるものである。
【発明の効果】
【０００８】
本発明に係る洗浄具において、払拭部材が上向きに配置されると、器具本体は上下方向を向く。そして、柄部の面心が器具本体に対し略平行となるように、柄部が折り畳まれた状態にされる。すると、柄部の下面が洗浄具全体の下面となる。そこで、柄部の下面を例えばテーブルなどの上面に接地させると、洗浄具全体を、ヒンジ部で屈曲した座位姿勢に安定に保持することができる。このとき、払拭部材は起立した状態で器具上部位置にあるので、使用により払拭部材に含まれていた水は払拭部材から器具本体を流下して例えばテーブル上に流れ落ちる。従って、使用後の水が払拭部材に残りにくく、極めて短時間で乾燥させることができ、カビや臭気の発生を防ぐことができる。
【０００９】
また、座位姿勢の状態で、上向きの係止突部を柄部の先端に備え、且つ、係止突部と払拭部材との間に所定のスペースを有するものでは、洗浄具を座位姿勢にした状態で、前記スペースに別の洗浄器具を収容して柄部の上面に載置させることができる。従って、払拭部材のみならず、別の洗浄器具も迅速に乾燥させることができる。
【図面の簡単な説明】
【００１０】
【図１】本発明の一実施形態に係る洗浄具の底面図である。
【図２】前記洗浄具の平面図である。
【図３】前記洗浄具の側面図である。
【図４】前記洗浄具の部分分解底面図である。
【図５】図４におけるＡ−Ａ線矢視断面図である。
【図６】前記洗浄具の使用状態説明図である。
【図７】前記洗浄具を座らせた状態を示す側面図である。
【図８】前記座らせた洗浄具にスポンジ洗浄具を載せた状態を示す外観図である。
【図９】本発明の別の実施形態に係る洗浄具の平面図である。
【図１０】本発明の他の実施形態に係る洗浄具の平面図である。
【発明を実施するための形態】
【００１１】
本発明の実施形態を図面に基づいて説明する。尚、以下に述べる実施形態は本発明を具体化した一例に過ぎず、本発明の技術的範囲を限定するものでない。図１は本発明の一実施形態に係る洗浄具の底面図、図２は前記洗浄具の平面図、図３は前記洗浄具の側面図である。
各図において、この実施形態に係る洗浄具１は、一端側にブラシ部（払拭部材の例）１５を有する器具本体２と、器具本体２の他端側にヒンジ部３を介して揺動自在に連結された柄部４とを備えている。ブラシ部１５は、平面視で円盤状に形成されたブラシ基台５と、ブラシ基台５の下面に植設された多数の束毛６，６，６，・・・とから構成されている。器具本体２は、ブラシ基台５に対し例えば約２４度上向きに傾斜して設けられている。但し、この傾斜角は２４度に限定されるものでない。そして、これらの器具本体２とブラシ基台５とは、例えば合成樹脂を原材料として金型成型により一体成形される。
【００１２】
器具本体２の他端部には、図４および図５に示すように、下面および他端側面が開口した角溝状の格納用溝８が形成されている。その結果、器具本体２のヒンジ部３よりも他端側の上面は支持板部１４となっている。尚、器具本体２の他端部の両側の端面２Ｅ，２Ｅは支持板部１４よりも突出している。そして、格納用溝８内におけるブラシ基台５寄りの内側面にはＵ字状の軸受溝９，９が形成されている。軸受溝９，９よりも他端側の両内側面には、係止溝１０，１０が器具本体２の体心Ｃ１と平行に形成されている。
【００１３】
柄部４は平面視で二等辺三角形リング状、換言すれば平面状に形成されている。柄部４の鋭角頂点部分に軸部１１が一体に突設されている。軸部１１は器具本体２の格納用溝８内に出し入れ自在に格納される大きさ・形状に形成されている。軸部１１の先端部近傍の両側面には、枢支軸部１２，１２が突設されている。これら枢支軸部１２，１２は、器具本体２の軸受溝９，９に圧入されて回動自在に枢支されるようになっている。すなわち、軸部１１の枢支軸部１２，１２と器具本体２の軸受溝９，９とから、器具本体２に対し柄部４を上下揺動自在に連結するヒンジ部３が構成される。また、軸部１１の柄部４寄りの両側面には、軸部１１の長手方向に延びる係止突条１３，１３が突設されている。これら係止突条１３，１３は、軸部１１が器具本体２の格納用溝８に格納されて器具本体２の体心Ｃ１と平行になったとき、格納用溝８内の１０，１０に入り込んで係止され、その位置で軸部１１および柄部４を位置決めするようになっている。また、ブラシ部１５の束毛６が下向きにされた姿勢の洗浄具１を側面から見た状態で、柄部４の遊動端側である短辺部分には、下向きに湾曲した係止突部７が形成されている。
【００１４】
上記のように構成された洗浄具１の作用を説明する。図６に示すように、例えば浴槽Ｂを擦り洗いする際に、利用者は柄部４の軸部１１を器具本体２の格納用溝８内に格納させて、器具本体２と柄部４を一直線状にする。すなわち、柄部４の面心Ｃ３を器具本体２の体心Ｃ１とほぼ直角の向きにする（図３参照）。そして、ブラシ部１５の束毛６を下向きにした状態で、人差指などをブラシ基台５の上面に置き、残りの指で柄部４を握る。その状態で、束毛６，６，６，・・・を浴槽Ｂの表面に押し付けながら擦り洗いをする。そのとき、軸部１１を枢支軸１２回りに押し上げる反力が働くが、軸部１１は器具本体２の支持板部１４に当接して、それ以上の上向き揺動が規制される。これにより、ブラシ部１５の束毛６はよりいっそう強く浴槽Ｂの表面に押し付けられるので、大きな洗浄力を発揮することができる。
【００１５】
そうして、擦り洗い終了後にブラシ部１５が洗浄され、洗浄具１が乾燥に供される。それに先立ち、柄部４が手でヒンジ部３回りに揺動され軸部１１が器具本体２の格納用溝８から出されて格納用溝８内の前壁８Ａに当接する。このとき、柄部４は器具本体２の体心Ｃ１に対し直角の向き（１点鎖線Ｃ２で示す）となっている。すなわち、柄部４の面心Ｃ３が器具本体２の体心Ｃ１に対しほぼ平行となる。そして、図７に示すように、ブラシ部１５を上向きに配置すると、器具本体２の体心Ｃ１が上下方向を向く。その状態で、器具本体２の他端部の端面２Ｅ，２Ｅおよび柄部４の先端の下面４ＥをテーブルＴ上に接地する。この場合、器具本体２の２ヶ所（２Ｅ，２Ｅ）と、柄部４の一辺または１ヶ所（４Ｅ）とで３点支持される。従って、洗浄具１はその全体がヒンジ部３で屈曲した座位姿勢となり、テーブルＴ上で安定な姿勢に保持される。
【００１６】
このように、ブラシ部１５は起立した状態で器具上部位置にあるので、ブラシ洗浄後の水滴は束毛６，６，６，・・・からブラシ基台５に流れ、更にブラシ基台５から器具本体２を流下し、その端面２Ｅ，２ＥからテーブルＴ上に流れ落ちるのである。これにより、洗浄後の水がブラシ部１５に残りにくいことから水切れがよく、極めて短時間で乾燥させることができる。従って、洗浄後の水が長時間束毛６，６，６，・・・に残存してカビや臭気を発生させ不衛生の原因を引き起こすとなるといったことがない。また、手で握られる４に到達して汚染するおそれも少ない。
【００１７】
一方で、汚れのひどいものを洗浄した後や長期間の経時使用の後は、束毛６，６，６，・・・の汚れが目立つものである。しかしながら、この洗浄具１はブラシ部１５が起立した状態で器具上部位置に配置されるので、人から見える方向にブラシ基台５の背面を向けると、汚れている束毛６，６，６，・・・は大部分がブラシ基台５に隠れて汚れが目につかなくなるという利点もある。
【００１８】
一方、図７に示すように洗浄具１の全体が座位姿勢にあるとき、係止突部７は上向きになっている。また、ブラシ部１５の束毛６，６，６，・・・の先端と係止突部７との間には、所定のスペースＳが存在している。そこで、図８に示すように、そのスペースＳにスポンジ洗浄具Ｖを収容して柄部４の上面に載置させることができる。その際に、係止突部７はスポンジ洗浄具（別の洗浄器具の例）Ｖを転げ落とさないように留め置く働きをする。従って、ブラシ部１５のみならず、スポンジ洗浄具ＶをもテーブルＴから離して迅速に乾燥させることができる。因みに、洗濯機などが置かれる家事室や浴室は比較的狭い場合が多く、各種器具を保管すると煩雑になるが、この洗浄具１はそれ自体がコンパクトに折り畳まれる上、スポンジ洗浄具Ｖも一緒に保管できるので、狭い室内に置いておくうえで好適なものと言える。尚、別の洗浄器具としては、上記のスポンジ洗浄具Ｖ以外に、束子その他を適用することもできる。
【００１９】
尚、上記の実施形態では、払拭部材としてブラシ部１５を例示したが、本発明の払拭部材はそれに限定されるものでない。例えば図９に示すように、束子部１５ａを払拭部材として適用した洗浄具１ａを挙げることができる。ここで用いた束子部１５ａは多数の束毛１６を鋼線１７で撚り合わせたものであり、鋼線１７の末端部は器具本体２の前面に固設されている。器具本体２の前部上面には、擦り洗い時の束子部１５ａを補強支持するための押え板部１８が器具本体２と一体に設けられている。また、ここで用いる柄部４ａは平面的な略正三角形リング状に形成されており、ヒンジ部３を介して器具本体２に連結されている。この柄部４ａは既述した柄部４のようなスポンジ洗浄具Ｖの載置機能を持っていないが、それにより柄部４よりも短くコンパクトになっている。
この洗浄具１ａによれば、器具本体２に対し柄部４ａを折り畳んで器具全体を座位姿勢に保持することができる。従って、束子部１５ａを器具上部位置に持ち上げた状態で安定に保持することができる。
【００２０】
また、例えば図１０に示すように、スポンジ部１５ｂを払拭部材として適用した洗浄具１ｂを挙げることができる。ここで用いたスポンジ部１５ｂは、スポンジ１９を鋼線２０で撚り合わせて保持したものであり、鋼線２０の末端部は器具本体２の前面に固設されている。この洗浄具１ｂも、前述の洗浄具１ａと同様、押え板部１８付きの器具本体２と、ヒンジ部３と、柄部４ａとを使用してある。この洗浄具１ｂによっても、器具本体２に対し柄部４ａを折り畳んで器具全体を座位姿勢に保持することができ、スポンジ部１５ｂを器具上部位置に持ち上げた状態で安定に保持することができる。
【００２１】
また、上記では、払拭部材としてブラシ部１５、束子部１５ａ、スポンジ部１５ｂを例示したが、本発明に係る払拭部材は、食器、台所周り、浴槽周り、布靴などを擦り洗いできるものであれば特に限定されず、上記したブラシ部１５、束子部１５ａ、スポンジ部１５ｂ以外でも構わない。
【００２２】
そして、先の実施形態では、ブラシ部１５付きの器具本体２に対し柄部４を用いているが、ブラシ部１５付きの器具本体２に対して柄部４ａを用いてよい。あるいは、束子部１５ａ付きの器具本体２またはスポンジ部１５ｂ付きの器具本体２に対して柄部４を使用しても構わない。
【００２３】
更に、上記では、器具本体２の軸受溝９，９と柄部４の枢支軸１２，１２とから成るヒンジ部３を例示したが、本発明のヒンジ部としては、例えば器具本体に枢支軸を設ける一方、器具本体の枢支を回動自在に枢支する軸受穴を柄部に設けたものであっても構わない。
【００２４】
また、上記では、器具本体２のヒンジ部３よりも他端側に、長い支持板部１４を延在させたことにより、柄部４の下面の一辺または１ヶ所と、器具本体２の２ヶ所の端面２Ｅ，２Ｅとで３点支持を受けるようにしたが、支持板部１４を極力短くして、座位姿勢のときに器具本体２の他端側端面が柄部４の下方に突出しないようにし、柄部４の下面全面だけでテーブル上に支持させるようにしても構わない。
【００２５】
そして、上記では、柄部として三角形リング状の形状を挙げたが、柄部の平面形状としては、洗浄具全体を座位姿勢にしたときの柄部の下面が平らな面、すなわちそれ自体でテーブル上などに座らせて置くことのできる形状であればよい。かかる形状としては、既述した三角形リング状の他に、例えば円形リング状、Ｔの字形状、Ｙの字形状などが挙げられる。Ｔの字形状およびＹの字形状の柄部の場合は、分岐した１本の部分が器具本体に連結される軸部となる。
【符号の説明】
【００２６】
１，１ａ，１ｂ  洗浄具
２    器具本体
３    ヒンジ部
４，４ａ  柄部
４Ｅ  下面
７    係止突起
９    軸受溝
１２  枢支軸
１５  ブラシ部（払拭部材）
１５ａ  束子部（払拭部材）
１５ｂ  スポンジ部（払拭部材）
Ｃ１  体心
Ｃ３  面心
Ｓ    スペース
Ｖ    スポンジ洗浄具（別の洗浄器具）
【図１】
2011045420.tif 000003
【図２】
2011045420.tif 000004
【図３】
2011045420.tif 000005
【図４】
2011045420.tif 000006
【図５】
2011045420.tif 000007
【図６】
2011045420.tif 000008
【図７】
2011045420.tif 000009
【図８】
2011045420.tif 000010
【図９】
2011045420.tif 000011
【図１０】
2011045420.tif 000012